(57)【要約】【課題】従来の多くのタンク密結形便器においてロータンク排水レバー（４）の位置が便座に腰掛けた状態で背後部に位置するため洗浄排水をする時に手さぐりでレバーを操作することに成るためこの操作を便座に腰掛けて手元近くの操作しやすい位置でロータンク排水レバー（４）を操作できるようにすることを目的とする。【解決手段】手動で作動させ作動を解くと自動復帰する作動レバー（１２）を有する操作機（Ａ）とロータンク（３）に装着させてロータンク排水レバー（４）を作動さすレバー回動板（８）とリンクプレート（９）及び連結部材（６）を主とする遠隔作動装置（Ｂ）とを連動連結部材（１７）で連動させるようにする。【選択図】図３
2006169724.tif 000002
【特許請求の範囲】
【請求項１】
手動で作動させ、作動を解くと元の位置に自動復帰する作動レバー（１２）を有する操作機（Ａ）と水洗便器（２）のロータンク（３）に装着させてロータンク排水レバー（４）の排水レバー回動軸（１９）を作動さすためのレバー回動板（８）を有する遠隔作動装置（Ｂ）と操作機（Ａ）とレバー回動板（８）とを連動さす為の連動連結部材（１７）とから構成される。操作機（Ａ）の作動レバー（１２）の作動で遠隔作動装置（Ｂ）の回動軸（２２）を連動して作動できるようにしたこととロータンク（３）のロータンク排水レバー（４）を分解することなく数々の装着手段でロータンク排水レバー（４）部位に取り付けできることを特徴とする水洗便器洗浄排水レバーの遠隔作動装置。
【請求項２】
操作機（Ａ）は基台Ａ（１６）に設けた支持柱Ａ（２０）にテコの原理を利用した作動レバー（１２）と作動レバー（１２）を戻す為のリターン弾性体（１３）及び連結部材リターン弾性体（１４）と遠隔作動装置（Ｂ）との連動連結部材（１７）ケースＡ（１５）から成り手元近くでの位置右側左側のいずれにも取り付け可能な請求項１記載の水洗便器洗浄排水レバーの遠隔作動装置。
【請求項３】
遠隔作動装置（Ｂ）は基台Ｂ（２１）に設けた支持柱Ｂ（１０）に連結部材（６）の誘導溝（５）と内側に突起部（７）を有し重力を利用したレバー回動板（８）を連動させる連結部材（６）と連動連結部材（１７）を連結するリンクプレート（９）及び連結部材リターン弾性体（１８）から成るロータンク（３）に装着する請求項１又は２記載の水洗便器洗浄排水レバーの遠隔作動装置。
【発明の詳細な説明】
【技術分野】
【０００１】
この発明は水洗便器の洗浄排水用レバーの作動を遠隔で操作できる排水レバー遠隔作動装置に関するものである。
【背景技術】
【０００２】
従来多くのタンク密結形水洗便器（２）においてロータンク（３）のロータンク排水レバー（４）は図１、図２に示すように便器便座に人体（１）が腰掛けた状態において人体（１）の背後部側に位置するロータンク（３）の側壁面に設置され後手で操作するように構成されている。
【発明の開示】
【発明が解決しようとする課題】
【０００３】
多くの腰掛け式水洗便器においてロータンク排水レバー（４）は腰掛けた状態で背中部側に位置するタンクの側壁面に設置構成されているので便器内の汚物などを流したいとき腰を後向きにねじってロータンク排水レバー（４）を手さぐりでさがし作動しなくてはならない。特にお年寄りの方や又身体の不自由な方には操作がやりにくいという問題点がある。
【課題を解決するための手段】
【０００４】
本発明は上記の問題点を解決するために便座に腰掛けた状態のままで遠隔操作機（Ａ）により手元でロータンク排水レバー（４）を操作できる洗浄排水レバー遠隔作動装置を提供することを目的としている。
【発明の効果】
【０００５】
上記の目的を達成するために本発明における水洗便器洗浄排水レバーの遠隔作動装置は作動レバー（１２）を手動で作動し手をはなす事により元の位置に自動復帰する作動レバー（１２）を有する操作機（Ａ）と水洗便器のロータング（３）に装着させた遠隔作動装置（Ｂ）は基台支持柱Ｂ（１０）に取り付けられたレバー回動板（８）を連動さす連結部材（６）とリンクプレート（９）と連動連結部材（１７）とケースＢ（１１）とから構成され操作機（Ａ）の作動レバー（１２）の作動により遠隔作動装置（Ｂ）のレバー回動板（８）を作動しロータンク排水レバー（４）を連動できるようにしたもので操作機（Ａ）を着座した状態で操作しやすい手元の位置に設置する事により簡単に作動レバー（１２）を作動さしロータンク排水レバー（４）を連動さす事ができる。とくに高齢者の方又身体の不自由な方にも操作が容易に行う事が出来るようにしたものである。
【０００６】
また支持柱Ｂ（１０）に取り付けられたレバー回動板（８）の形体を重力を利用してロータンク排水レバー（４）が排水が止まる状態にすると共に連動連結部材（１８）とリターン弾性体（１３）の力を利用して操作機（Ａ）の作動レバー（１２）を開放すると幾重の力の作用によりロータンク排水レバー（４）が途中で止まることがないようにした。
【０００７】
そして操作機（Ａ）は両側面を平にすることにより着座した状態で右側又は左側のいずれにも取付け可能にした。
【０００８】
また遠隔作動装置（Ｂ）及び操作機（Ａ）の取り付け方法は粘着剤又は面ファスナー又はハンガー方式等々の接着手段を採用することにより器具を取り付けるときにロータンク排水レバー（４）を分解することなく容易に設置取り付けできるようにした。
【０００９】
ロータンク排水レバー（４）とロータンク内の排水弁を連結する玉鎖等の連結方法により大及び小の排水を操作機（Ａ）の作動レバー（１２）の作動のけん引き位置により小用排水大用排水と分け作動さすこともできる。
【発明を実施するための最良の形態】
【００１０】
以下本発明の実施形態を図面を参照しながら説明する。
【００１１】
図１には、従来の便座式便器の使用状態を示す側面図である。図２には、現行のロータンクに設置された便器洗浄用排水レバーの一例を示す。図３には、本発明の遠隔作動装置Ｂの内部を示す断面の側面図である。図４には、本発明の遠隔作動装置の操作機Ａの断面図である。図５には、遠隔作動装置Ｂの内部正面図であり作動の構成を示す参考図である。
【００１２】
図４の操作器（Ａ）は基台Ａ（１６）に取り付けられた手動で作動させて、作動を解くと自動復帰する作動レバー（１２）を有する操作機であり手前（左側）に押せば作動レバー（１２）と図３の遠隔作動装置（Ｂ）とを結ぶワイヤー等の連動連結部材（１７）にワイヤーリターンスプリング等の連結部材リターン弾性体（１４）又作動レバー（１２）の復帰用にスプリング等のリターン弾性体（１３）が組みこまれている。
【００１３】
この操作機（Ａ）のケースＡ（１５）は便所壁などに取り付けるため両側面を平にし接着剤又は裏面に接着剤がある面ファスナー等が接着しやすくした。又作動レバー（１２）ワイヤー等の連動連結部材（１７）等は操作機（Ａ）の上面及び底面になるように設けられている。
【００１４】
図３及び図５の遠隔作動装置（B）はケース（１１）内に図５を組み込んだ装置で基台Ｂ（２１）に支持柱Ｂ（１０）を取り付けられたテコの倍力を利用したリンクプレート（９）に図４の操作機（Ａ）より連動されたワイヤー等の連動連結部材（１７）で結びワイヤーリターンスプリング等の連動連結部材リターン弾性体（１８）で復帰させるようにしたリンクプレート（９）と支持柱Ｂ（１０）の上部に取り付け形状を重力の利用できる形にしたレバー回動板（８）に玉鎖等の連結部材（６）を誘導する誘導溝（５）を内側に突起部（７）を持つレバー回動板（８）を連結する玉鎖等の連結部材（６）で結び図４の操作機（Ａ）の作動レバー（１２）を作動することにより、図３及び図５の遠隔作動装置（Ｂ）のレバー回動板（８）が作動し内側に設置された突起部（７）でロータンクレバー（４）が連動して水洗便器洗浄用の水が流れ出るようにした。
【００１５】
図３及び図５の遠隔作動装置（Ｂ）はロータンク（３）の外側面に取り付けることが出来るようにロータンク排水レバー（４）が通る穴を明けたケースＢ（１１）に外側面を覆うカバーを有し粘着剤又は裏面に接着剤がある面ファスナー及びロータンク（３）の上面と蓋の間に引っ掛けるハンガー方式等の取り付けを可能にした。万一故障等のトラブルの際には接着等の取り付けを解くことで元のロータンク排水レバー（４）が図２の状態に復元する。
【００１６】
なお本発明は流水量を大に設定し開発されているが流水量を小に設定したい時は図５に示すリンクプレート（９）及び玉鎖等の連結部材（６）を図５の対象に取り付けることで対処でき、また、大および小のロータンク排水レバー（４）の作動方向が反対の場合にも同じ対処の方法で解決するように設計されている。
【図面の簡単な説明】
【００１７】
【図１】従来の便座式便器の使用状態を示す側面図である。
【図２】現行のロータンクに設置された便器洗浄用排水レバーを示す。
【図３】本発明の遠隔作動装置（Ｂ）の内部を示す断面の側面図である。
【図４】本発明の遠隔作動装置の操作機（Ａ）の断面図である。
【図５】遠隔作動装置（Ｂ）の内部正面図であり作動の構成を示す参考図である。
【符号の説明】
【００１８】
Ａ    操作機
Ｂ    遠隔作動装置
１    人体
２    便器
３    ロータンク
４    ロータンク排水レバー
５    誘導溝
６    連結部材
７    突起部
８    レバー回動板
９    リンクプレート
１０    支持柱Ｂ
１１    ケースＢ
１２    作動レバー
１３    リターン弾性体
１４    連結部材リターン弾性体
１５    ケースＡ
１６    基台Ａ
１７    連動連結部材
１８    連動連結部材リターン弾性体
１９    排水レバー回動軸
２０    支持柱Ａ
２１    基台Ｂ
２２    回動軸
【図１】
2006169724.tif 000003
【図２】
2006169724.tif 000004
【図３】
2006169724.tif 000005
【図４】
2006169724.tif 000006
【図５】
2006169724.tif 000007